(57)【要約】【課題】  荷重計を保持する保持部をスライドするスライド機構を備えた荷重試験機において、保持部のスライド動作中に、万が一人体の一部がスライド範囲に突入しても、人体の安全性を維持することを目的とする。【解決手段】  保持部４にスライド方向の間隙Ｃを介して設けられて所定のスライド位置においてドグ１２、１３に当接する当接材２５ａ、２５ｂと、当接材２５ａ、２５ｂを介してドグ１２、１３の反対側に設けられて保持部４に固定されたリミットスイッチ４４ａ、４４ｂと、当接材２５ａ、２５ｂが保持部４に向かって付勢された際に、当接材２５ａ、２５ｂを保持部４に向かってスライドさせてリミットスイッチ４４ａ、４４ｂに当接させ、リミットスイッチ４４ａ、４４ｂを作動させる当接材スライド機構と、を備えている。【選択図】  図４
2006153600.tif 000002
【特許請求の範囲】
【請求項１】
荷重計を保持する保持部を試験機本体に対してスライドさせるスライド機構と、保持部が所定の位置に達すると、そのスライド動作を停止させるリミットスイッチ機構とを備えた荷重試験機であって、
前記リミットスイッチ機構は、
試験機本体に固定されたドグと、
前記保持部にスライド方向の間隙を介して設けられ、前記保持部のスライド方向の端部を覆うと共に、前記保持部のスライド動作に伴う所定のスライド位置において前記ドグに当接する当接材と、
前記当接材を介して前記ドグとは反対側に該当接材に間隙を介して配設され、前記保持部に固定されたリミットスイッチと、
前記当接材が前記保持部に向かって付勢された際に、該当接材を該保持部に向かってスライドさせて前記リミットスイッチに当接させ、該リミットスイッチを作動させる当接材スライド機構と、を備える、
ことを特徴とする荷重試験機。
【請求項２】
前記当接材スライド機構は、
軸方向がスライド方向に沿って配設されて、一端が前記当接材に接続され、他端側が前記保持部にスライド方向にスライド自在に係合するスライド棒と、
前記スライド棒の他端を前記当接材に向かって付勢するスプリングと、
によって構成されている、
ことを特徴とする請求項１に記載の荷重試験機。
【請求項３】
前記当接材スライド機構は、
前記当接材が前記保持部のスライド方向に直交する向きに一端を軸として揺動するように、該当接材を支持する支持機構と、
前記当接材を前記保持部から離間する方向へ付勢する第二のスプリングと、
によって構成されている、
ことを特徴とする請求項１に記載の荷重試験機。
【発明の詳細な説明】
【技術分野】
【０００１】
本発明は、試験機本体に対して荷重計を保持する保持部を上下にスライドするスライド機構を備えた荷重試験機に関する。
【背景技術】
【０００２】
従来、荷重計を被試験物の変位方向に沿ってスライドさせることにより被試験物に荷重と変位を加え、荷重計のスライド移動量から被試験物の変位を検出し、荷重と変位とを関連付けて計測できるように構成された荷重試験機がある。
【０００３】
また、前述の荷重試験機において、荷重計を保持する保持部を試験機本体に対してスライドさせるスライド機構と、スライド範囲の上限下限において試験機本体に固定されたドグと、保持部に固定されたリミットスイッチとを備え、スライド動作に伴って、保持部が所定の位置に達すると、リミットスイッチがドグに当接し、そのスライド動作を停止するように構成されているものがある（例えば、特許文献１参照）。
【特許文献１】特開平１０-１２９９９９号公報
【発明の開示】
【発明が解決しようとする課題】
【０００４】
しかしながら、従来例のように構成された被試験物の保持装置によれば、保持部のスライド動作中に、万が一、人体の一部がスライド範囲に突入した際に、人体が保持部に追突されて傷害にいたる虞があった。
【０００５】
そこで、本発明は、荷重計を保持する保持部をスライドするスライド機構を備えた荷重試験機において、保持部のスライド動作中に、万が一人体の一部がスライド範囲に突入しても、人体の安全性を維持することを目的とする。
【課題を解決するための手段】
【０００６】
かかる目的を達成するためになされた請求項１に記載の発明は、荷重計を保持する保持部を試験機本体に対してスライドさせるスライド機構と、保持部が所定の位置に達すると、そのスライド動作を停止させるリミットスイッチ機構とを備えた荷重試験機であって、前記リミットスイッチ機構は、試験機本体に固定されたドグと、前記保持部にスライド方向の間隙を介して設けられ、前記保持部のスライド方向の端部を覆うと共に、前記保持部のスライド動作に伴う所定のスライド位置において前記ドグに当接する当接材と、前記当接材を介して前記ドグとは反対側に該当接材に間隙を介して配設され、前記保持部に固定されたリミットスイッチと、前記当接材が前記保持部に向かって付勢された際に、該当接材を該保持部に向かってスライドさせて前記リミットスイッチに当接させ、該リミットスイッチを作動させる当接材スライド機構と、を備える、ことを特徴とする。
【０００７】
請求項１に記載の荷重試験機によれば、リミットスイッチ機構には、試験機本体に固定されたドグと、保持部にスライド方向の間隙を介して設けられ、保持部のスライド方向の端部を覆うと共に、保持部のスライド動作に伴う所定のスライド位置においてドグに当接する当接材と、当接材を介してドグとは反対側に当接材に間隙を介して配設され、保持部に固定されたリミットスイッチと、当接材が前記保持部に向かって付勢された際に、当接材を保持部に向かってスライドさせてリミットスイッチに当接させ、リミットスイッチを作動させる当接材スライド機構と、が備えられているので、保持部のスライド動作中に万が一人体の一部がスライド範囲に突入しても、保持部のスライド荷重が直接人体に加えられることなく人体の安全性を維持でき、且つ、当接材がこのスライド方向と反対側にスライドしてリミットスイッチに当接し、保持部のスライド動作を停止できる。
【０００８】
つまり、本荷重試験機によれば、保持部のスライド動作に伴って、当接材が人体に当接すると、当接材がこのスライド方向と反対側にスライドして人体に対する衝撃が緩和されると共に、保持部のスライド動作を停止するように作用するので、人体に対する危険性を回避できる。
【０００９】
次に、請求項１に記載の荷重試験機は、請求項２に記載の発明のように、前記当接材スライド機構が、軸方向がスライド方向に沿って配設されて、一端が前記当接材に接続され、他端側が前記保持部にスライド方向にスライド自在に係合するスライド棒と、前記スライド棒の他端を前記当接材に向かって付勢するスプリングと、によって構成されていることにより、保持部のスライド動作中に万が一人体の一部がスライド範囲に突入した際、当接材が人体に当接すると、当接材がこのスライド方向とは反対方向にスライドし、人体に加えられる衝撃が緩和される。
【００１０】
次に、請求項１に記載の荷重試験機は、請求項３に記載の発明のように、前記当接材スライド機構は、前記当接材が前記保持部のスライド方向に直交する向きに一端を軸として揺動するように、該当接材を支持する支持機構と、前記当接材を前記保持部から離間する方向へ付勢する第二のスプリングと、によって構成されていることにより、保持部のスライド動作中に万が一人体の一部がスライド範囲に突入した際、当接材の仕切部が人体に当接すると、当接材が他端を軸として、保持部のスライド方向とは反対方向に揺動し、人体に加えられる衝撃が緩和される。
【発明の効果】
【００１１】
本発明の荷重試験機によれば、本荷重試験機によれば、保持部のスライド動作に伴って、当接材が人体に当接すると、当接材がこのスライド方向と反対側にスライド又は揺動して人体に対する衝撃が緩和されると共に、保持部のスライド動作を停止するように作用するので、人体に対する危険性を回避できる
【発明を実施するための最良の形態】
【００１２】
次に、本発明の荷重試験機の一実施例を図面にもとづいて説明する。図１は、本発明の一実施例の荷重試験機の外観図、図２は、同実施例の荷重試験機における図１の矢印Ｘ方向から表した外観図、図３は、同実施例の荷重試験機の図１におけるＹ−Ｙ断面、図４は、同実施例の荷重試験機における当接材スライド機構を表す構造図。図５は、同実施例の荷重試験機の制御系を表すブロック図、図６は、図４の当接材スライド機構の変形例を表す構造図である。
【００１３】
図１に表したように、荷重試験機１は、被試験物に荷重を加え、その荷重を計測する荷重計２、荷重計２を保持する保持部４、保持部４を上下にスライドさせるスライド機構を備えた移動装置３、スライド範囲の上限下限において支柱１５（所謂、本発明の試験機本体である）に固定されたドグ１２、１３、保持部４に固定されたリミットスイッチ（図４中の符号４４ａ、４４ｂ）、等を備え、保持部４のスライド動作に伴って、保持部４が所定の位置に達すると、リミットスイッチが作動し、そのスライド動作を停止するように構成されている。
【００１４】
また、荷重試験機１は、制御装置５の上面に設けられたテーブル１４、オペレータの操作に基づいて移動装置３及び荷重計２を作動させる制御装置５、制御装置５とパーソナルコンピュータ（図示せず）間のデータ通信を行うためのインタフェース接続ケーブル１１、等を備えている。
【００１５】
荷重計２は、電源キー２ａ、計測結果を表示する液晶ディスプレイ２ｂ、計測値をゼロに校正するゼロ点校正キー２ｓ、連続して読み取った荷重のピ−ク値の出力を指令するピーク出力キー２ｄ、荷重の単位を（例えばＫｇｆやＮなど）切り換える単位切換キー２ｅ、被試験物に張力又は押圧力を加える端子２ｆ等を備えている。また、荷重計２には、前述の各キーからの指令信号に基づいて計測動作を制御する駆動回路（図５中の符号２ｇ）が内蔵され、荷重計２と制御装置５とが通信用ケーブル（図示せず）で接続されている。
【００１６】
次に、移動装置３は、図３に表したように、制御装置５に直立して設けられ内方に空間を有する支柱１５、支柱１５内に収納されテーブル１４に直立して固定されたガイド棒６ａ、６ｂ、支柱１５の上部及び下部に固設された天板１９及び底板１８、天板１９及び底板１８に係合された軸受け１６、２０、軸受け１６、２０を介して回転自在に支持され、外周に沿って螺旋状のネジが形成されたスクリュー７、スクリュー７の回転動作に伴ってスクリュー７の軸方向に沿ってスライドすると共に荷重計２を固定する保持部４、等を備えている。
【００１７】
スクリュー７は、一端が軸受け１６に回動自在に接続され、他端が、カップリング（図示せず）を介して、制御装置５の内部に備えたモータの回転軸に接続されている。そして、移動装置３は、モータの回転動作を、スクリュー７及び保持部４を介して、荷重計２を上下にスライドする直線運動に変換するように構成されている。
【００１８】
ガイド棒６ａ、６ｂは、天板１９にボルト１７ａ、１７ｂによって固定され、底板１８にボルト２１ａ、２１ｂによって固定されている。
【００１９】
保持部４には、ガイド棒６ａ、６ｂがスライド自在に係合する貫通孔４ｂ、４ｃと、スクリュー７に羅合する雌ネジ４ｄが形成されている。また、支柱１５の周壁には上下に延出する開口孔（図１中の符号１５ａ）が形成され、保持部４がこの開口孔から外方に突出し、固定部４ａを介して荷重計２を保持している。そして、保持部４は、開口孔１５ａ及びガイド棒６ａ、６ｂに沿って上下に移動するように構成されている。
【００２０】
次に、図１に表したように、制御装置５は、オペレータが荷重計２の計測動作及びスライド動作を操作するための操作パネル８を備えている。操作パネル８は、荷重計２のスライド速度を設定する速度設定ツマミ８ｂ、８ｃ、荷重計２のスライド方向を上方（矢印Ｕ方向）に指令する方向指令キー８ｄ、荷重計のスライド方向を下方（矢印Ｄ方向）に指令する方向指令キー８ｅ、各種計測動作モードを設定する計測モード選択キー８ｆ、計測動作モードにおける動作速度や変位量、荷重などを設定する液晶ディスプレイ８ｋ及び数値入力キー８ｍ、８ｎ、設定された計測モードに基づいて計測動作の開始を指令するスタートキー８ｐ、計測動作の停止を指令するストップキー８ｈ、等が備えられている。
【００２１】
図５に表したように、制御装置５には、移動装置３及び荷重計２の動作を制御する制御系１００が備えられている。制御系１００は、ＣＰＵ３１、ＲＯＭ３２、ＲＡＭ３３を中心とするマイクロコンピュータとして構成され、操作パネル８から入力される指令信号に基づき、ＣＰＵ３１がＲＯＭ３２、ＲＡＭ３３等を使用して各機能の処理を実行する。
【００２２】
また、制御系１００は、経過時間をカウントして経過時間を表す信号をＣＰＵ３１に出力する時間カウンター４３、ＣＰＵ３１からの出力信号に基づいてモータ３５に駆動信号を出力するモータ制御部３４、モータ制御部３４から入力された駆動信号に基づいて回転動作するモータ３５、モータ３５の回転力を直線運動に変換して荷重計３を図１中の矢印Ｕ及びＤ方向に移動させる移動装置３、等によって構成されている。
【００２３】
また、荷重計２は、被試験物に押圧力又は引張力を加え、その荷重をロードセル２ｄに伝達する端子２ｆ、端子２ｆを介して伝達された荷重に応じた電気信号を生成するロードセル２ｓ、ロードセル２ｓで生成された電気信号をデジタル信号に変換してＣＰＵ３１に出力する駆動回路２ｇ等を備えている。また、駆動回路２ｇは、前述の電源キー２ａ、ゼロ点校正キー２ｓ、ピーク出力キー２ｄ、単位切換キー２ｅ等から入力された指令信号、及びＣＰＵ３１から入力された指令信号に基づいて、荷重計２を制御する。
【００２４】
また、制御系１００は、ＣＰＵ３１と外部のパーソナルコンピュータとの間でデータをシリアルに送受信するインタフェース４０、例えばペンレコーダなどに、計測された荷重及び変位を電圧信号で出力するアナログ電圧出力部４１、荷重計２の所定のスライド位置で作動し、そのスライド動作を停止する停止信号をＣＰＵ３１に出力する上下一対のリミットスイッチ４４ａ、４４ｂ、オペレータが操作し指令信号をＣＰＵ３１に送るための操作パネル８等によって構成されている。
【００２５】
次に、図２に表したように、移動装置３は、支柱１５の側壁に上下に延出する貫通孔１５ｂが形成され、上下一対のドグ１２及び１３をこの貫通孔１５ｂに沿ってスライドさせ所定の位置で係止できるように形成されている。詳しくは、図４に表したように、ドグ１２、１３は、ナット１２ａ、１３ａとボルト１２ｂ、１３ｂとによって構成され、ネジを緩めたり締め付けしたりすることによってドグの位置を上下にスライドさせて所定の位置で係止できるように構成されている。
【００２６】
次に、図４に表したように、荷重試験機１は、保持部４にスライド方向の間隙Ｃを介して設けられて所定のスライド位置においてドグ１２、１３に当接する当接材２５ａ、２５ｂと、当接材２５ａ、２５ｂを介してドグ１２、１３の反対側に間隙Ｃを介して設けられて保持部４に固定されたリミットスイッチ４４ａ、４４ｂと、当接材２５ａ、２５ｂが保持部４に向かって付勢された際に、当接材２５ａ、２５ｂを保持部４側にスライドさせてリミットスイッチ４４ａ、４４ｂに当接させ、リミットスイッチ４４ａ、４４ｂを作動させる当接材スライド機構と、を備えている。また、この当接材スライド機構は、保持部４の上下に、一対備えられている。なお、図１において一部破断し、この当接材スライド機構を符号Ｓで示している。
【００２７】
また、図４に表したように、当接材スライド機構は、軸方向が保持部４のスライド方向に沿って配設されて、一端が当接材２５ａ、２５ｂに接続され、他端側が保持部４にスライド方向にスライド自在に係合するスライド棒２２ａ、２２ｂと、スライド棒２２ａ、２２ｂの他端を当接材４に向かって付勢するスプリング２３ａ、２３ｂと、によって構成されている。
【００２８】
保持部４には、スライド棒２２ａ、２２ｂがスライド自在に係合するスライド貫通孔４ｊ、４ｋと、スライド貫通孔４ｊ、４ｋより大きく形成されスプリング２３ａ、２３ｂを収納する収納孔４ｍ、４ｎとが備えられている。そして、スライド棒２２ａ、２２ｂのスプリング２２ａ、２２ｂ側に位置する一端には、スライド貫通孔４ｊ、４ｋより大きい径を有する鍔部が形成され、この鍔部が収納孔４ｍ、４ｎの貫通孔４ｊ、４ｋ側に位置する底壁に当接し、当接材２５ａ、２５ｂの、保持部４から離間する方向におけるスライドを所定の範囲に規制するストッパーの機能を発現する。
【００２９】
また、収納孔４ｍ、４ｎにはキャップ２４ａ、２４ｂが係合し、スプリング２３ａ、２３ｂが収納孔４ｍ、４ｎに装着されてスライド棒２２ａ、２２ｂを押すように付勢している。
【００３０】
また、当接材２５ａ、２５ｂには、リミットスイッチ４４ａ、４４ｂに当接する当接部２６ａ、２６ｂと、スライド方向の間隙を介して保持部４のスライド方向の端部を覆う仕切部２７ａ、２７ｂと、が形成されている。
【００３１】
そして、保持部４が上方向（矢印Ｕ側）にスライドすると、ドグ１２のボルト１２ｂが仕切部２７ａに当接し、当接材２５ａがスプリング２３ａの付勢力に抗するように保持部４側にスライドし、スイッチレバー４５ａが当接部２６ａに押圧されて、保持部４の上方向（矢印Ｕ方向）のスライド動作を停止させるように構成されている。
【００３２】
また、保持部４が下方向（矢印Ｄ側）にスライドすると、ドグ１３のボルト１３ｂが仕切部２７ｂに当接し、当接材２５ｂがスプリング２３ｂの付勢力に抗するように保持部４側にスライドし、スイッチレバー４５ｂが当接部２６ｂに押圧されて、保持部４の下方向（矢印Ｄ方向）のスライド動作を停止させるように構成されている。
【００３３】
次に、前記の構成を有する荷重試験機１の作用効果を記載する。
【００３４】
本実施例の荷重試験機は、保持部４にスライド方向の間隙を介して設けられて所定のスライド位置においてドグ１２、１３に当接する当接材２５ａ、２５ｂと、当接材２５ａ、２５ｂを介してドグ１２、１３とは反対側に当接材２５ａ、２５ｂに間隙を介して設けられて保持部４に固定されたリミットスイッチ４４ａ、４４ｂと、当接材２５ａ、２５ｂが保持部４に向かって付勢された際に、当接材２５ａ、２５ｂを保持部４に向かってスライドさせてリミットスイッチ４４ａ、４４ｂに当接させ、リミットスイッチ４４ａ、４４ｂを作動させる当接材スライド機構と、を備え、当接材２５ａ、２５ｂには、リミットスイッチ４４ａ、４４ｂに当接する当接部２６ａ、２６ｂと、スライド方向の間隙を介して保持部４のスライド方向の端部を覆う仕切部２７ａ、２７ｂと、が備えられているので、万が一人体の一部がスライド範囲に突入しても、保持部４のスライド動作に伴って当接材２５ａ、２５ｂの仕切部２７ａ、２７ｂが人体に当接すると、仕切部２７ａ、２７ｂがこのスライド方向と反対側にスライドして人体に対する衝撃が緩和されると共に、保持部４のスライド動作を停止するように作用し、人体に対する危険性を回避できる。
【００３５】
また、本実施例の荷重試験機は、当接材スライド機構が、軸方向がスライド方向に沿って配設されて、一端が当接材２５ａ、２５ｂに接続され、他端側が保持部４にスライド方向にスライド自在に係合するスライド棒２２ａ、２２ｂと、スライド棒２２ａ、２２ｂの他端を当接材２５ａ、２５ｂに向かって付勢するスプリング２３ａ、２３ｂと、仕切部２７ａ、２７ｂを保持部４から離間する方向における仕切部２７ａ、２７ｂのスライドを所定の範囲に規制するストッパーと、によって構成されていることにより、保持部４のスライド動作中に万が一人体の一部がスライド範囲に突入しても、当接材２５ａ、２５ｂの仕切部２７ａ、２７ｂが人体に当接すると、仕切部２７ａ、２７ｂが保持部４のスライド方向とは反対方向にスライドし、人体には保持部４のスライド荷重が直接加えられることなく衝撃が緩和される。
【００３６】
（変形例）
次に、図６を用いて図５に表した当接材スライド機構の変形例を説明する。なお、前述の荷重試験機１の当接材スライド機構と共通する部分については詳細な説明を省き、特徴となる部分を以下に説明する。
【００３７】
図６に表したように、当接材スライド機構は、当接材５５ａ、５５ｂが、保持部４のスライド方向に直交する向きに、一端を軸として揺動するように、当接材５５ａ、５５ｂを支持する支持機構と、当接材５５ａ、５５ｂを保持部４から離間する方向へ付勢する第二のスプリング当接材５６ａ、５６ｂと、によって構成されている。すなわち、支持機構は、当接材５５ａ、５５ｂが、保持部４に対して、一端が他端を軸として揺動するように、他端が軸５７ａ、５７ｂを支点に揺動自在に支持されている。また、第二のスプリング５６ａ、５６ｂは、当接材５５ａ、５５ｂと保持部４とのスライド方向の間隙Ｃ内に配設され当接材５５ａ、５５ｂを保持部４から離間する方向に付勢している。仕切部５８ａ、５８ｂの保持部４から離間する方向における揺動を所定の範囲に規制する第二のストッパー５９ａ、５９ｂと、によって構成されている。
【００３８】
当接材５５ａ、５５ｂは、保持部４のスライド方向の間隙Ｃを介して保持部４のスライド方向の端部を覆う遮蔽部５８ａ、５８ｂを備え、遮蔽部５８ａ、５８ｂの一端には、軸５７ａ、５７ｂが貫通する貫通孔が形成され、軸５７ａ、５７ｂを介して保持部４と連結されている。
【００３９】
第二のスプリング５６ａ、５６ｂは、略Ｕの字状に形成され、その中間部が軸５７ａ、５７ｂに係合し、且つ、一端が遮蔽部５８ａ、５８ｂに当接すると共に他端が保持部４に当接し、Ｕの字状の開口部が開く方向に保持部４及び遮蔽部５８ａ、５８ｂを付勢している。
【００４０】
保持部４は、軸５７ａ、５７ｂを介して仕切部５８ａ、５８ｂと連結されている。また、保持部４には、仕切部５８ａ、５８ｂの背面を支える第二のストッパー５９ａ、５９ｂが形成され、これにより、保持部４から離間する方向における当接材５５ａ、５５ｂ揺動を所定の範囲に規制している。
【００４１】
そして、保持部４が上方向（矢印Ｕ側）にスライドすると、ドグ１２のボルト１２ｂが当接材５５ａの遮蔽部５８ａに当接し、遮蔽部５８ａがスプリング５６ａの付勢力に抗するように軸５７ａを支点に保持部４側に揺動し、スイッチレバー４５ａが当接部２６ａに押圧されて、保持部４の上方向（矢印Ｕ方向）のスライド動作を停止させるように構成されている。
【００４２】
また、保持部４が下方向（矢印Ｄ側）にスライドすると、ドグ１３のボルト１３ｂが遮蔽部５８ｂに当接し、遮蔽部５８ｂがスプリング５６ｂの付勢力に抗するように保持部４側に揺動し、スイッチレバー４５ｂが当接部２６ｂに押圧されて、保持部４の下方向（矢印Ｄ方向）のスライド動作を停止させるように構成されている。
【００４３】
そして、この構成により、保持部４のスライド動作中に万が一人体の一部がスライド範囲に突入しても、当接材５５ａ、５５ｂの仕切部５８ａ、５８ｂが人体に当接すると、遮蔽部５８ａ、５８ｂが他端を軸としてこのスライド方向とは反対方向に揺動し、人体には保持部４のスライド荷重が直接加えられることなく衝撃が緩和される。
【００４４】
以上、本発明の一実施例について説明したが、本発明は、前記実施例に限定されるものでなく、種各の態様を取ることができる。
【図面の簡単な説明】
【００４５】
【図１】本発明の一実施例の荷重試験機の外観図である。
【図２】同実施例の荷重試験機における、図１の矢印Ｘ方向から表した外観図である。
【図３】同実施例の荷重試験機の図１におけるＹ−Ｙ断面である。
【図４】同実施例の荷重試験機における当接材スライド機構を表す構造図である。
【図５】同実施例の荷重試験機の制御系を表すブロック図である。
【図６】図４の当接材スライド機構の変形例を表す構造図である。
【符号の説明】
【００４６】
１…荷重試験機、２…荷重計、２ａ…電源キー、２ｂ…液晶表示部、２ｄ…ピーク出力キー、２ｅ…測定単位切換キー、２ｆ…端子、２ｓ…ロードセル、３…移動装置、４…保持部、４ｂ，４ｃ…貫通孔、４ｄ…雌ネジ、４ｊ，４ｋ…スライド貫通孔、４ｍ，４ｎ…収納孔、５…制御装置、６ａ，６ｂ…ガイド棒、７…スクリュー、８…操作パネル、１１…インタフェース接続ケーブル、１２、１３…ドグ、１２ａ，１３ａ…ナット、１２ｂ，１３ｂ…ボルト、１４…テーブル、１５…支柱、１５ａ…開口孔、１５ｂ…貫通孔、１６，２０…軸受け、１７ａ，１７ｂ，２１ａ，２１ｂ…ボルト、１８…底板、１９…天板、２２ａ，２２ｂ…スライド棒、２３ａ，２３ｂ…スプリング、２４ａ，２４ｂ…キャップ、２５ａ，２５ｂ，５５ａ，５５ｂ…当接材、２６ａ，２６ｂ…当接部、２７ａ，２７ｂ，５８ａ，５８ｂ…遮蔽部、３１…ＣＰＵ、３２…ＲＯＭ、３３…ＲＡＭ、３４…モータ制御部、３５…モータ、４０…インタフェース、４１…アナログ電圧出力部、４３…時間カウンター、４４ａ、４４ｂ…リミットスイッチ、４５ａ，４５ｂ…スイッチレバー、５６ａ，５６ｂ…第二のスプリング、５７ａ，５７ｂ…軸、５９ａ，５９ｂ…第二のストッパー。
【図１】
2006153600.tif 000003
【図２】
2006153600.tif 000004
【図３】
2006153600.tif 000005
【図４】
2006153600.tif 000006
【図５】
2006153600.tif 000007
【図６】
2006153600.tif 000008